(57)【要約】【課題】装飾性を高めるための模様等のデザインの表示を、光源ランプのオンオフによって変化可能に構成することにより、装飾性に由来する楽しみの程度を増大させ、時間が経っても減少しないようにした照明器具を提供すること。【解決手段】本発明の照明器具では、このような課題を解決するために、基体１に支持した光源ランプ４を覆うランプシェード６を半透光性に構成し、その内面側に、第１のデザイン部１４を配置すると共に、この第１のデザイン部よりも内側に、半透光性のシート体１６を介して第２のデザイン部１７を配置しており、そして光源ランプのオンオフスイッチ５を適所に設けた構成としている。【選択図】図５
2013041790.tif 000002
【特許請求の範囲】
【請求項１】
基体に支持した光源ランプを覆うランプシェードを半透光性に構成し、その内面側に、第１のデザイン部を配置すると共に、この第１のデザイン部よりも内側に、半透光性のシート体を介して第２のデザイン部を配置し、前記光源ランプのオンオフスイッチを適所に設けたことを特徴とする照明器具。
【請求項２】
第１のデザイン部を光透過率の高い第１のシート体により構成すると共に、第２のデザイン部を、前記第１のシート体の内側に配置する半透光性の第２のシート体の内面側に構成したことを特徴とする請求項１に記載の照明器具。
【請求項３】
第１のデザイン部及び第２のデザイン部を、共通の半透光性のシート体の夫々外面側及び内面側に構成したことを特徴とする請求項１に記載の照明器具。
【請求項４】
第１のデザイン部の第１のデザインは、低コントラストで、光透過率を高く構成すると共に、第２のデザイン部の第２のデザインは、高コントラストとしたことを特徴とする請求項１〜３のいずれか１項に記載の照明器具。
【請求項５】
第１のデザインが、薄い色の背景部と透明なデザイン本体部とから構成されていることを特徴とする請求項４に記載の照明器具。
【請求項６】
第１のデザインが、薄い色のデザイン本体部と透明な背景部とから構成されていることを特徴とする請求項４に記載の照明器具。
【請求項７】
第１のデザインと第２のデザインの色を異ならせていることを特徴とする請求項４に記載の照明器具。
【請求項８】
ランプシェードが、フロスト加工により半透光性とした透明なガラスであることを特徴とする請求項１に記載の照明器具。
【請求項９】
ランプシェードが、フロスト加工により半透光性とした透明な合成樹脂であることを特徴とする請求項１に記載の照明器具。
【請求項１０】
ランプシェードが、半透光性のフィルムを貼って半透光性とした透明なガラス又は合成樹脂であることを特徴とする請求項１に記載の照明器具。
【請求項１１】
ランプシェードの上部に香油皿部を構成したことを特徴とする請求項１に記載の照明器具。
【請求項１２】
香油皿部が、ランプシェードの上部に形成した開口部に香油皿を載置して構成するようにした請求項１１に記載の照明器具。
【請求項１３】
基体は電灯線のコンセントに接続するコンセントプラグと一体に構成され、コンセントプラグをコンセントに接続して支持される構成としたことを特徴とする請求項１に記載の照明器具。
【請求項１４】
基体は自立式のスタンドとして構成したことを特徴とする請求項１に記載の照明器具。
【発明の詳細な説明】
【技術分野】
【０００１】
本発明は、室内の装飾用として使用される照明器具に関するものである。
【背景技術】
【０００２】
室内で用いられる照明器具の一つとして常夜灯や行灯があり、この常夜灯のなかには、光源ランプの発熱を利用して香油を気化させるようにして、香炉としての機能を発揮させるものが従来から提供されている。
【０００３】
例えば特許文献１には、電灯線のコンセントに接続するスイッチ付きコンセントプラグと一体に形成された基体の上側にランプシェードを載置する構成とし、このランプシェードの上部に、液体香料を溜める受皿状くぼみを設けた香炉機能付きの常夜灯が記載されている。
【０００４】
また特許文献２には、電灯線のコンセントに接続するスイッチ付きコンセントプラグと一体に形成された基体の上側に筒状のランプシェードを固定し、このランプシェードの上部に篭状の香保持体を設けた構成の、照明器具を兼ねる香炉が記載されている。
【０００５】
また特許文献３には、光源ランプを支持した基台の上側に筒状フードを設置し、この筒状フードの上部には表面を凹ませて香料を溜めるように構成した蓋体部を設けると共に、基台の上側には筒状フードの外方に、図柄や彫刻などのデザインを施した外装体を設けた構成の香炉機能付き照明器具が記載されている。
【０００６】
更に特許文献４には、光源ランプを支持した基台の上側に、支持金具により香油皿を支持し、光源ランプと香油皿の周囲側面をランプシェードで覆った構成の香炉機能付きの照明器具が記載されている。
【０００７】
一方、照明器具においては、例えば特許文献５や特許文献６等に示されるように、光源ランプを覆うランプシェードに、模様、文様、絵又は色などのデザインによる装飾を施して装飾性を高めた構成のものがあり、特許文献１〜特許文献４に記載されているような香炉機能付きの照明器具においても、ランプシェードの形状や、模様等のデザインにより装飾性を高めた構成のものがある。
【０００８】
しかしながら従来の照明器具では、装飾性を高めるための模様等のデザインは、変化せずにいつも同じであるため、装飾性に由来する楽しみの程度が時間の経過と共に次第に減少していく。
【先行技術文献】
【特許文献】
【０００９】
【特許文献１】実用新案登録第３０３２８８３号公報
【特許文献２】特開２００４−２８３２３６号公報
【特許文献３】特開平１１−２８３４３９号公報
【特許文献４】実用新案登録第３０８６６７０号公報
【特許文献５】実開平３−１１６５１２号公報
【特許文献６】特開昭６２−７１８０３号公報
【発明の概要】
【発明が解決しようとする課題】
【００１０】
そこで、本発明が解決しようとする課題は、装飾性を高めるための模様等のデザインの表示を、光源ランプのオンオフによって変化可能に構成することにより、装飾性に由来する楽しみの程度を増大させ、時間が経っても減少しないようにした照明器具を提供することである。
【課題を解決するための手段】
【００１１】
上述した課題を解決するために、本発明では、基体に支持した光源ランプを覆うランプシェードを半透光性に構成し、その内面側に、第１のデザイン部を配置すると共に、この第１のデザイン部よりも内側に、半透光性のシート体を介して第２のデザイン部を配置し、前記光源ランプのオンオフスイッチを適所に設けた照明器具を提案する。
【００１２】
また本発明では、上記の構成において、第１のデザイン部を光透過率の高い第１のシート体により構成すると共に、第２のデザイン部を、前記第１のシート体の内側に配置する半透光性の第２のシート体の内面側に構成した照明器具を提案する。
【００１３】
また本発明では、上記の構成において、第１のデザイン部及び第２のデザイン部を、共通の半透光性のシート体の夫々外面側及び内面側に構成した照明器具を提案する。
【００１４】
また本発明では、上記の構成において、第１のデザイン部の第１のデザインは、低コントラストで、光透過率を高く構成すると共に、第２のデザイン部の第２のデザインは、高コントラストとした照明器具を提案する。
【００１５】
また本発明では、上記の構成において、第１のデザインが、薄い色の背景部と透明なデザイン本体部とから構成されている照明器具を提案する。
【００１６】
また本発明では、上記の構成において、第１のデザインが、薄い色のデザイン本体部と透明な背景部とから構成されている照明器具を提案する。
【００１７】
また本発明では、上記の構成において、第１のデザインと第２のデザインの色を異ならせている照明器具を提案する。
【００１８】
また本発明では、上記の構成において、ランプシェードが、フロスト加工により半透光性とした透明なガラスである照明器具を提案する。
【００１９】
また本発明では、上記の構成において、ランプシェードが、フロスト加工により半透光性とした透明な合成樹脂である照明器具を提案する。
【００２０】
また本発明では、上記の構成において、ランプシェードが、半透光性のフィルムを貼って半透光性とした透明なガラス又は合成樹脂である照明器具を提案する。
【００２１】
また本発明では、上記の構成において、ランプシェードの上部に香油皿部を構成した照明器具を提案する。そしてこの構成において、香油皿部が、ランプシェードの上部に形成した開口部に香油皿を載置して構成するようにした照明器具を提案する。
【００２２】
また本発明では、上記の構成において、基体は電灯線のコンセントに接続するコンセントプラグと一体に構成され、コンセントプラグをコンセントに接続して支持される構成とした照明器具を提案する。
【００２３】
また本発明では、上記の構成において、基体は自立式のスタンドとして構成した照明器具を提案する。
【発明の効果】
【００２４】
本発明の照明器具において、光源ランプがオフの状態では、室内の光によって、第１のデザイン部の模様、文様、絵などの図形や色などから成る第１のデザインが、半透光性のランプシェードを通して、いわゆる淡い色調となって見える。
【００２５】
ランプシェードの内面側に配置した第１のデザイン部と、それよりも内側の第２のデザイン部との間には半透光性のシート体が設けられているので、第２のデザインは、室内の光ではランプシェードを通して見ることができない。
【００２６】
このため、ランプシェードの外側には、第１のデザインのみが淡い色調で見えることになる。
【００２７】
次に、光源ランプをオンとすると、光源ランプからの光は第２のデザイン部、半透光性のシート体、第１のデザイン部、ランプシェードを順次経て外側に照射されるので、第２のデザインがランプシェードを通して見えるようになる。
【００２８】
ランプシェードは上述したように半透光性であり、そして光源ランプからの光が上述した順序で透過することから、第１のデザインは更に淡い色調となって見えにくくなり、代わりに、第２のデザインが影絵のように浮かび上がって明確に見えるようになる。
【００２９】
こうして、本発明の照明器具では、光源ランプがオフの場合と、オンにした場合とで異なったランプシェードのデザインを楽しむことができる。
【００３０】
ここで、光源ランプがオンの時にランプシェードを通して見える第１のデザインと第２のデザインの見え方は、夫々のデザインの構成により設定することができる。
【００３１】
例えば、第１のデザインは、薄い色の背景部と透明なデザイン本体部とから構成したり、又は逆に薄い色のデザイン本体部と透明な背景部とから構成する等、低コントラストで、光透過率を高く構成し、また、第２のデザインは、例えば黒色のデザイン本体部と白色の背景部として構成するなど、高コントラストとして構成とすれば、光源ランプがオンの時には、高コントラストの第２のデザインが、低コントラストで、光透過率が高い第１のデザインに邪魔されずに、より明確に影絵のように浮かび上がって見えるようにすることができる。
【００３２】
そして、このように光源ランプがオンで、第２のデザインがランプシェードを通して見える状態においては、第１のデザインが殆ど見えない程度に設定して、第２のデザインを単独で鑑賞し得るようにしたり、又は、第１のデザインを、第２のデザインと同時に、ある程度見えるようにして、第１のデザインと第２のデザインの組み合わせを鑑賞するように設定することもできる。
【００３３】
また第１のデザインの色と、第２のデザインの色を異ならせた構成とすれば、模様、文様又は絵などの図形の違いに加えて、色の違いによっても光源ランプのオン、オフ時における夫々のデザインの印象を大きく変化させることができる。
【００３４】
ここで、本発明では、第１のデザイン部を、例えば透明又は半透明の光透過率の高い第１のシート体により構成すると共に、第２のデザイン部を、前記第１のシート体の内側に配置する半透光性の第２のシート体の内面側に構成することができる。
【００３５】
この構成では、第１と第２のシート体を重ねてランプシェードの内面に沿って装着することにより設置することができる。
【００３６】
また他の構成として、第１のデザイン部及び第２のデザイン部を、共通の半透光性のシート体の夫々外面側及び内面側に構成することができ、この構成では、１枚のシート体をランプシェードに沿って装着することにより設置することができる。
【００３７】
ここで、ランプシェードは、フロスト加工により半透光性とした透明なガラスやアクリル樹脂等の透明な合成樹脂によって構成したり、半透光性のフィルムを貼って半透光性とした透明なガラス又は合成樹脂によって構成することができる。
【００３８】
本発明の照明器具は、ランプシェードの上部に形成した開口部に香油皿を載置したり、又は一体に構成する等により、ランプシェードの上部に香油皿部を構成することにより、光源ランプの発熱を利用して香油を気化させる香炉としての機能付きの照明器具として構成することができる。
【００３９】
また本発明の照明器具は、光源ランプやランプシェードを支持する基体を、電灯線のコンセントに接続するコンセントプラグと一体に構成し、コンセントプラグをコンセントに接続して支持される構成としたり、基体を自立式に構成してスタンドライトのような構成とすることができる。
【図面の簡単な説明】
【００４０】
【図１】図１は本発明に係る照明器具の第１の実施の形態を示すもので、全構成要素を示す斜視図である。
【図２】図２はランプシェードと、その内面側に装着するシート体を示す斜視図である。
【図３】図３はランプシェードの内面側へのシート体の装着経過を示す斜視図である。
【図４】図４はランプシェードの内面側にシート体を装着した状態を示す斜視図である。
【図５】図５は、図１に示される全構成要素を組み立てて構成した照明器具の断面図である。
【図６】図６は、図５のＡ−Ａ切断部端面図である。
【図７】図７は、第１の実施の形態の照明器具のオフの時の外観図である。
【図８】図８は、第１の実施の形態の照明器具のオンの時の外観図である。
【図９】図９は、第１の実施の形態の照明器具において、第１のデザインと第２のデザインの見え方を図８とは異ならせて設定した場合の一例を示すものである。
【図１０】図９は本発明に係る照明器具の第２の実施の形態を示すもので、図５のＡ−Ａ切断部に対応する個所の端面図である。
【図１１】図１１は本発明に係る照明器具の第２の実施の形態を示すもので、一部断面側面図である。
【発明を実施するための形態】
【００４１】
次に本発明に係る照明器具の実施の形態を添付の図面を参照して説明する。
図１〜図８は本発明の照明器具の第１の実施の形態を示すもので、この照明器具は香炉機能付きの構成である。
まず、符号１は基体であり、この基体１は電灯線のコンセントに接続するコンセントプラグ２と一体に構成した扁平直方体形状としており、コンセントプラグ２の突出方向と直交する上方向に電球ソケット３を突設し、この電球ソケット３に白熱電球等の光源ランプ４を装着して支持する構成である。そして基体１の側面側には光源ランプ４をオンオフするためのスイッチ５を設けている。
【００４２】
符号６はランプシェードであり、この実施の形態では、ランプシェード６は、筒状の透明ガラスの外面側をフロスト加工することにより半透光性としている。ランプシェード６は、この他、アクリル樹脂等の透明な合成樹脂の外面側をフロスト加工して半透光性としたものでも良いし、透明のガラス又は合成樹脂に半透光性のフィルムを貼って半透光性とすることもできる。
【００４３】
この実施の形態において、ランプシェード６は、円筒形状であり、図５に示すように、ランプシェード６の下端側は内側に折り返して、ランプシェード６と同軸状の折り返し筒状部７を構成している。この折り返し筒状部７は、上記電球ソケット３の外側に間隔８を持って嵌めて、底部９を基体１の上側面に当接して支持する構成である。そして電球ソケット３の外側には、フランジ状の突条１０と、突起１１を設けており、これらの突条１０と突起１１間には、ゴム等による弾性円環部材１２が装着されている。この弾性円環部材１２の外径は折り返し筒状部７の内径よりも大きく形成しており、従ってランプシェード６の折り返し筒状部７を電球ソケット３の外側に嵌める際、弾性円環部材１２の外周側が折り返し筒状部７の内面に圧接して摩擦力を生じ、これによって電球ソケット３の外側に嵌合した折り返し筒状部７をしっかりと保持することができる。この他、基体１に対してのランプシェード６の保持機構は適宜である。
【００４４】
次に、符号１３は第１のデザイン部１４を構成する第１のシート体であって、この第１のシート体１３は透明のプラスチック製シートであり、この第１のシート体１３は、例えばピンク色、黄色、緑色、青色系の薄い色の背景部１５ｂに、デザイン本体部１５ａ、この場合は、幾何学模様を、いわゆる白抜き、この場合は透明で表して第１のデザイン１５を構成している。
【００４５】
次に、符号１６は第２のデザイン部１７を構成する第２のシート体であって、この第２のシート体１６は白色で半透光性であり、後述するように、ランプシェード６の内面側に装着して配置した場合に内側となる面を第２のデザイン部１７として構成している。この第２のデザイン部１７には、子鹿やウサギ等の動物、果物、植物等のシルエット図形によるデザイン本体部１８ａと白色の背景部１８ｂから成る第２のデザイン１８を構成している。この第２のシート体１６の半透光性は、第２のデザイン部１７を構成している面とは反対側からの光により、この反対側から見た場合には、上記シルエット図形によるデザイン本体部１８ａが透けて見えることがないが、第２のデザイン部１７を構成している面からの光では、第２のシート体１６を通してデザイン本体部１８ａが透けて、上記反対側から見えるようになる程度の透光性を基本とする。
【００４６】
この実施の形態は、照明器具において香炉としての機能を発揮させるもので、符号１９は香油皿を示すものである。
【００４７】
以上の構成において、この実施の形態では、図２、図３に示すように、第１のシート体１３と第２のシート体１６を湾曲させ、それらを、第１のシート体１３を外側、即ち、ランプシェード６の内面側に配置して、ランプシェード６の内側に装着する。このために、第１のシート体１３と第２のシート体１６は適宜の弾性を有する材質としており、この弾性により第１のシート体１３がランプシェード６の内面側に、そして第２のシート体１６が第１のシート体１３の内面側に密着して装着される。
【００４８】
このようにして図４に示すように、ランプシェード６の内面側に第１のシート体１３と第２のシート体１６を装着した後、ランプシェード６の折り返し筒状部７を電球ソケット３の外側に嵌めると、弾性円環部材１２の外周側が折り返し筒状部７の内面に圧接して摩擦力を生じ、これによってランプシェード６を電球ソケット３の外側に嵌合した状態でしっかりと保持することができる。
【００４９】
次いで基体１を、そのコンセントプラグ２を電灯線のコンセント（図示省略）に接続することにより支持し、立設状態のランプシェード６の上部に形成した開口部に香油皿１９を載置して支持することにより、図５に示すように、香炉機能付きの照明器具として設置状態とすることができる。
【００５０】
この設置状態において、スイッチ５がオフ位置にあって、光源ランプ４がオフの状態では、室内の光によって、図７に示すように、第１のデザイン部１４の第１のデザイン１５のみが半透光性のランプシェード６を通して、いわゆる淡い色調となって見える。
【００５１】
そこで次にスイッチ５をオン位置に操作して光源ランプ４をオンとすると、光源ランプ４からの光は、第２のデザイン部１７、半透光性の第１のシート体１３、第１のシート体１３を通り、ランプシェード６を経て外側に照射されるので、図８に示すように、第２のデザイン１８がランプシェードを通して見えるようになる。
【００５２】
ランプシェード６は上述したように半透光性であり、そして光源ランプ４からの光が上述した順序で透過することから、第１のデザイン１５、この場合、幾何学模様は更に淡い色調となって見えにくくなり、代わりに、第２のデザイン１８、この場合、動植物のシルエット図形が影絵のように浮かび上がって明確に見えるようになる。
【００５３】
こうして、本発明の照明器具では、光源ランプ４がオフの場合と、オンにした場合とで異なったランプシェード６のデザインを楽しむことができる。
【００５４】
この際、光源ランプ４がオンの時にランプシェード６を通して見える第１のデザイン１５と第２のデザイン１８の見え方は、夫々のデザインの構成により設定することができる。
【００５５】
例えば、この実施の形態のように、第１のデザイン１５は、薄い色の背景部１５ｂと透明なデザイン本体部１５ａとから構成したり、又は逆に薄い色のデザイン本体部と透明な背景部とから構成する等、低コントラストで、光透過率を高く構成し、また、第２のデザイン１８は、例えば黒色のデザイン本体部と白色の背景部として構成するなど、高コントラストとして構成とすれば、光源ランプ４がオンの時には、高コントラストの第２のデザイン１８が、低コントラストで、光透過率が高い第１のデザイン１５に余り邪魔されずに、より明確に影絵のように浮かび上がって見えるようにすることができる。
【００５６】
そして、このように光源ランプ４がオンで、第２のデザイン１８がランプシェード６を通して見える状態においては、図８に示すように第１のデザイン１５が殆ど見えない程度に設定して、第２のデザイン１８を単独で鑑賞し得るようにしたり、又は、図９に示すように第１のデザイン１５を、第２のデザイン１８と同時に、ある程度見えるように設定して、第１のデザイン１５と第２のデザイン１８の組み合わせを鑑賞し得るように設定することができる。
【００５７】
この他、例えば第１のデザイン１５の背景部１５ｂの色と、第２のデザイン１８の背景部１８ｂの色を異ならせる等により、第１のデザイン１５と第２のデザイン１８の色を異ならせた構成とすれば、模様、文様又は絵などの違いに加えて、色の違いによっても光源ランプ４のオン、オフ時における夫々のデザインの印象を大きく変化させることができる。
【００５８】
以上に説明した実施の形態の照明器具では、第１のデザイン部１４を、透明又は半透明の光透過率の高い第１のシート体１３により構成すると共に、第２のデザイン部１７を、前記第１のシート体１３の内側に配置する半透光性の第２のシート体１６の内面側に構成し、これらの第１のシート体１３と第２のシート体１６の２枚を重ねて内面側に装着する構成としているが、他の実施の形態として、図１０に示すように、第１のデザイン部１４及び第２のデザイン部１７を、共通の半透光性のシート体２０の夫々外面側及び内面側に構成することができ、この構成では、１枚のシート体２０をランプシェード６に沿って装着することにより容易に設置することができる。
【００５９】
一方、以上に説明した実施の形態の照明器具では、図５に示すようにランプシェード６の上部に香油皿１９を設けており、この香油皿１９に入れた香油を光源ランプ４の発熱により気化させて香炉としての機能を発揮させることができる。
【００６０】
本発明の照明器具では、このように光源ランプの発熱を利用して香油を気化させる香炉としての機能付きの照明器具として構成する他、このような香炉としての機能を有しない常夜灯などの照明器具専用の構成とすることもできる。
【００６１】
また、以上に説明した実施の形態の照明器具では、上述したとおり、光源ランプ４やランプシェード６を支持する基体１を、電灯線のコンセントに接続するコンセントプラグ２と一体に構成し、コンセントプラグ２をコンセントに接続して支持される構成としているが、図１１に示すように基体２１を自立式に構成してスタンドライトのような構成とすることができる。符号２２はコンセントプラグである。
【００６２】
更に以上に説明した実施の形態の照明器具では、ランプシェード６の内面側に配置する第１のデザイン部１４及び第２のデザイン部１７を構成する第１のシート体１３、第２のシート体１６又はシート体２０を、異なったデザインのものと交換することにより、更に、ランプシェード６の光によるデザインを変化させることができる。尚、場合によっては、第１のデザイン部１４及び第２のデザイン部１７は交換不能とすることもできる。
【００６３】
更に以上に説明した実施の形態の照明器具では、ランプシェード６は単純な円筒状としているが、その形状は、上下方向の径が変化する楕円筒状や、角筒状などの適宜の形状とすることができる。
【産業上の利用可能性】
【００６４】
本発明に係る照明器具は、以上の通りであるから、装飾性を高めるための模様、図形、色等のデザインの表示を、光源ランプのオンオフによって変化可能に構成することにより、装飾性に由来する楽しみの程度を増大させ、時間が経っても減少しないようにすることができる。尚、第１及び第２のデザインは適宜であり、例えば、実施の形態として説明した動植物の図形、幾何学模様等の他、企業のロゴやイメージ写真等を利用することもでき、こうして、本発明に係る照明器具を企業の宣伝広告媒体としても利用することができる。さらに、本発明に係る照明器具は、照明器具専用とする他、香炉機能付きとすることができることは上述した通りである。
【符号の説明】
【００６５】
１              基体
２              コンセントプラグ
３              電球ソケット
４              光源ランプ
５              スイッチ
６              ランプシェード
７              折り返し筒状部
８              間隔
９              底部
１０            突条
１１            突起
１２              弾性円環部材
１３            第１のシート体
１４            第１のデザイン部
１５            第１のデザイン
１５ａ        デザイン本体部
１５ｂ        背景部
１６            第２のシート体
１７            第２のデザイン部
１８            第２のデザイン
１８ａ        デザイン本体部
１８ｂ        背景部
１９            香油皿
２０            シート体
２１            基体
２２            コンセントプラグ
【図１】
2013041790.tif 000003
【図２】
2013041790.tif 000004
【図３】
2013041790.tif 000005
【図４】
2013041790.tif 000006
【図５】
2013041790.tif 000007
【図６】
2013041790.tif 000008
【図７】
2013041790.tif 000009
【図８】
2013041790.tif 000010
【図９】
2013041790.tif 000011
【図１０】
2013041790.tif 000012
【図１１】
2013041790.tif 000013